(57)【要約】【課題】  地震等が発生し、建物が揺れても、壁パネルが破損したり、建物に悪影響を及ぼさない安価な壁パネルと、この壁パネルを建物に取り付けた壁パネルの取付構造を提供することである。【解決手段】  壁パネル２は、木質の枠材を矩形状に組み立てた枠４と、この枠の一面に配置された複数の壁面材４７とからなる。そして、この壁パネル２は、複数の壁面材４７を、隣接する２個の壁面材４７の間に若干の隙間Ｓが存在する状態に並べて、釘４８で枠４に取り付けた構造になっている。【選択図】          図３
2005163491.tif 000002
【特許請求の範囲】
【請求項１】
木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられていることを特徴とする壁パネル。
【請求項２】
木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられ、相対する枠材には、取付金具が取り付けられていることを特徴とする請求項１または２記載の壁パネル。
【請求項３】
前記相対する枠材には、桟材が前記壁面材に対して略平行に差し渡されて取り付けられ、前記隣接する２個の壁面材の間に存在する隙間がこの桟材の前面に位置する状態になされていることを特徴とする請求項１または２記載の壁パネル。
【請求項４】
請求項１記載の壁パネルの相対する枠材または請求項２記載の壁パネルの取付金具が建物の構造材にボルト・ナットで固定され、別の相対する枠材は建物に固定されてないことを特徴とする壁パネルの取付構造。
【請求項５】
前記建物が鉄骨系のユニット建物であることを特徴とする請求項４記載の壁パネルの取付構造。
【発明の詳細な説明】
【技術分野】
【０００１】
本発明は、耐震性に優れた壁パネル及びこの壁パネルを建物に取り付けた壁パネルの取付構造に関する。
特に、鉄骨系のユニット建物に好適な壁パネル及び壁パネルの取付構造に関する。
【背景技術】
【０００２】
従来、壁パネルの取付構造としては種々な構造が知られている。
例えば、特許文献１に記載されているように、枠材を矩形状の枠に組み立て、この枠の相対する枠材に桟材を差し渡し、この枠と桟材の一面に壁面材を取り付けた壁パネルの上下と左右の枠材を建物の柱や梁等に釘で固定する壁パネルの取付構造が知られている。
また、特許文献２に記載されているように、ＡＬＣ製の壁パネルを、上下の梁に滑動自在に取り付けた壁パネルの取付構造も知られている。
【０００３】
一方、ユニット建物は、運搬可能な一定の大きさの箱形の、且つ、内部外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となるものであって、現場施工期間が短く、且つ、寸法精度のよい標準化された建物となる特徴があることから、近年、多く建てられている。
【０００４】
このユニット建物を構成する建物ユニットとしては、種々な構造のものが知られているが、特許文献３に記載されているような鉄骨系の建物ユニットが多く採用されている。
この特許文献３に記載されている鉄骨系の建物ユニットは、四隅に立設した鋼製の四角筒状体の４本の柱と、この４本の柱の上端部を矩形状の辺に沿って連結した鋼製の断面コ字形長尺体の４本の天井梁と、この４本の柱の下端部を矩形状の辺に沿って連結した鋼製の断面コ字形長尺体の４本の床梁とからなる骨格を有している。
【０００５】
そして、建物ユニットは、この骨格の相対する床梁に鋼製の四角筒状体の床小梁を差し渡して取り付け、この床小梁の上に木製の床根太を取り付け、この床根太の上にパーチクルボードの床面材を取り付けて床を形成し、相対する天井梁に木製の天井野縁を差し渡して取り付け、この天井野縁の下面に石膏ボードの天井面材を取り付けて天井を形成したものである。
【０００６】
この鉄骨系のユニット建物の壁パネル取付構造としては、特許文献４に記載されているように、上下の梁に壁パネルを移動可能に係止した壁パネル取付構造が知られている。
なお、この特許文献４の従来の技術として紹介されている壁の構造は、ＡＬＣ製の壁面材を上下の梁等の建物構造体に差し渡し、この壁面材の上下１箇所ずつ合計２箇所を建物構造体にボルト・ナット等で取り付けた構造をしている。
【０００７】
【特許文献１】特開平１０−２０５０１号公報
【特許文献２】特公平７−７６４６５号公報
【特許文献３】特公昭６１−４２０６１号公報
【特許文献４】特公平７−２１６９０号公報
【発明の開示】
【発明が解決しようとする課題】
【０００８】
しかしながら、上記特許文献１に記載されている壁パネル取付構造では、壁パネルの上下と左右の枠材が建物の柱や梁等に強固に取り付けられている。従って、地震等で建物が揺れ動くと、上下の梁の相対的位置が変化したり柱が傾き、そのために、この梁や柱に固定されている枠材のそれぞれには、壁パネルを平行四変形に変形させようとする大きな力がかかり壁パネルが破損するという問題がある。
【０００９】
特に、鉄骨系のユニット建物では、この鉄骨系のユニット建物を構成する建物ユニットの柱や梁が撓み易い軽量鉄骨で構成されているものが多く、地震等では、建物ユニットが揺れ易くなっしいる。従って、地震の際には、壁パネルが破損し易い。また、壁パネルが破損しないように壁パネルの機械的強度を大きくすると、地震等の際に、この揺れが、直接、建物ユニットを固定しているアンカーボルトにかかり、このアンカーボルトが曲がったり折れるというように、建物ユニットの構造的バランスが崩れて建物のどこかの部材が破損するという問題がある。
【００１０】
特許文献２及び特許文献４に記載されている壁パネル取付構造では、地震等で建物ユニットが揺れても、壁パネルが建物の構造材（梁）に滑動自在に取り付けられたり、移動可能に係止されているので、この壁パネルが滑動したり移動して、壁パネルが破損しないが、複雑な構造にする必要があるために、施工が困難であるし、高価になるという問題がある。
【００１１】
特許文献４の従来技術に紹介されている壁面材の取付構造では、壁面材の上下１箇所ずつ合計２箇所が梁にボルト・ナット等で取り付けられているだけであるので、地震等が発生したときには、幅の小さい壁面材では、ボルトを中心にして壁面材が回動し、壁面材が破損しない。しかし、幅の小さい壁面材を１個宛建物に取り付ける必要があり施工が煩雑であるし、壁面材が傾いたときに隣接する周囲の壁面材と衝突するという問題がある。また、幅の大きな壁面材では、地震等で斜めに変形したときの両端の変移が大きくなり、壁面材が周囲の壁面材と衝突して破損するという危険が更に増加するとい問題がある。
【００１２】
そこで、本発明は、地震等が発生し、建物が揺れても、壁パネルが破損したり、建物に悪影響を及ぼさない安価な壁パネルと、この壁パネルを建物に取り付けた壁パネルの取付構造を提供することである。
【課題を解決するための手段】
【００１３】
本発明は上記目的を達成するためになされたものであって、請求項１記載の発明は、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられている壁パネルを特徴とするものである。
【００１４】
この発明における壁パネルは、壁面材を建物の構造材に取り付け易いようにパネル状にしたものであって、この壁の位置はどこでもよい。例えば、外壁の外側を構成する外壁パネルであってもよいし、外壁の内側を構成する内壁パネルであってもよいし、部屋を区切る間仕切り壁パネルであってもよい。
請求項１記載の発明における木質の枠材とは、木材や、パーチクルボードやハードボード等の木質系の材料を枠材に加工したものをいう。
【００１５】
また、壁面材とは、壁に使用される面材のことであり、従来使用されている壁面材が使用できる。かかる壁面材としては、石膏ボードや、木板、ハードボード、パーチクルボード等の木質系のボードや、亜鉛鉄板や、硬質木片セメント板やモルタル板等のセメント系の板等を挙げることができる。特に、石膏ボードが好ましい。
そして、この壁面材は、並べられているが、これは、複数個の壁面材を相対する上下または左右の枠材に差し渡した状態に並べるこという。この際、相対する上下の枠材に差し渡した状態に並べる方が施工し易いので好ましい。
【００１６】
また、この壁面材は、隣接する２個の壁面材の間に若干の隙間が存在する状態に、並べられているが、この若干の隙間は、壁面材が傾いたときに隣接する壁面材に衝突することのないようにするものである。従って、この隙間の大きさは、壁面材の高さや揺れの大きさによって異なる。通常の壁の高さで通常の地震であれば、この隙間の幅は１ｍｍ〜３ｍｍ、好ましくは、１．５ｍｍ〜２．５ｍｍでよい。
【００１７】
請求項２記載の発明は、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられ、相対する枠材には、固定金具が取り付けられている壁パネルを特徴とするものである。
【００１８】
この請求項２記載の発明における固定金具とは、建物に取り付け易いように設けるものであって、相対する枠材の所々に取り付けられた複数個の小片であってもよいし、相対する枠材に沿って取り付けられた長尺体であってもよい。
【００１９】
請求項３記載の発明は、請求項１または２記載の発明に係り、前記相対する枠材には、桟材が前記壁面材に対して略平行に差し渡されて取り付けられ、前記隣接する２個の壁面材の間に存在する隙間がこの桟材の前面に位置する状態になされているものである。
【００２０】
この請求項３記載の発明に使用する桟材には適宜材料が使用可能であるが、枠材と同じ木質であると、枠を製造する際に同時に製造できるので好ましい。
なお、壁面材はこの桟材に釘等で固定されてもよいし、固定されてなくてもよいが、固定されてない方が枠材が傾き易いので好ましい。
【００２１】
請求項４記載の発明は、請求項１記載の壁パネルの相対する枠材または請求項２記載の壁パネルの固定金具が建物の構造材にボルト・ナットで固定され、別の相対する枠材は建物に固定されてない壁パネルの取付構造を特徴とするものである。
【００２２】
この請求項４記載の発明における建物の構造材とは、壁パネルを取り付ることが可能な強度を有する横材や縦材等をいう。かかる横材としては、天井梁、床梁等の梁や、マグサや、窓台等があり、縦材としては柱や間柱等がある。
そして、請求項１記載の壁パネルの相対する枠材または請求項２記載の壁パネルの固定金具が構造材に取り付けられ、別の相対する枠材は建物に固定されてないが、これは、固定金具が梁等の横方向の構造材に取り付けられている場合には、左右の枠材が建物に固定されないことをいい、固定金具が柱等の縦方向の構造台に取り付けられている場合には、上下の枠材が建物に固定されないことをいう。この際、前者が施工し易いので好ましい。
【００２３】
請求項５記載の発明は、請求項４記載の発明に係り、前記建物が鉄骨系のユニット建物であるものである。
【００２４】
この請求項５記載の鉄骨系のユニット建物とは、鉄骨系のユニット建物のすべてを含むものであって、特許文献３に記載されている鉄骨系のユニット建物は勿論のこと、その他の鉄骨系のユニット建物であってもよいのである。
（作用）
【００２５】
請求項１記載の発明では、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられているので、この壁パネルは複数の壁面材からなっていて大型の壁パネルとすることができる。従って、取り付ける際の壁パネルの数を減らすことができ、施工し易い。しかも、枠材と壁面材とからだけであるので安価である。
【００２６】
そして、この壁パネルを建物の構造体に取り付けて使用しているときに、地震等があり、上下の構造材（横材）の相対的位置が変化したり、両側の構造材（縦材）が傾いても、壁パネルの木質の枠に打ち付けられている釘またはビスが斜めになったり、釘またはビスを中心にして壁面材が回動したり、隣接する２個の壁面材の間に存在する隙間が狭くなって、壁面材が支障なく傾き、地震の揺れに適応する。その結果、壁面パネルが破損しない。このように、この請求項１記載の発明は耐震性のよい壁パネルである。
なお、枠が比較的に柔らかい木質の枠材を矩形状に組み立てられたものであるので、釘やビスが斜めになり易いのである。また、外壁面材が石膏ボードのように比較てき柔らかい材質であると、釘またはビスが傾き易く、更に、好ましい。
【００２７】
請求項２記載の発明では、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられ、相対する枠材には、固定金具が取り付けられているので、請求項１記載の発明と同様に、この壁パネルは複数の壁面材が一体となった大型の壁パネルにすることができるし、壁パネルを建物の構造材に取り付ける際に、この固定金具を取り付ければよく、壁パネルの数を減らしたり、取付工数を減らすことができ、施工し易い。しかも、桟材と壁面材と固定金具だけであるので、安価である。
【００２８】
この固定金具を建物の構造体に取り付けて使用しているときに、地震等があり、上下の構造材（梁）の相対的位置が変化したり、両側の構造材（柱）が傾いても、木質の枠に打ち付けられている釘またはビスが斜めになったり、釘またはビスを中心にして壁面材が回動したり、２個の壁面材の間に存在する隙間が狭くなって、壁面材が容易に傾き、地震の揺れに適応する。その結果、壁面パネルが破損しない。このように、この請求項２記載の発明は耐震性のよい壁パネルである。
【００２９】
請求項３記載の発明では、請求項１または２記載の発明に係り、前記相対する枠材には、桟材が前記壁面材に対して略平行に差し渡されて取り付けられ、前記隣接する２個の壁面材の間に存在する隙間がこの桟材の前面に位置する状態になされているので、請求項１や請求項２に記載されている作用に加えて、隣接する２個の壁面材の隙間の背後には桟材があって、この隙間から内部が見えず、好ましい壁パネルである。
【００３０】
請求項４記載の発明では、請求項１記載の壁パネルの相対する枠材または請求項２記載の壁パネルの固定金具が建物の構造材にボルト・ナットで固定され、壁パネルの別の相対する枠材が建物に固定されてないので、取り付ける際に相対する枠材または固定金具のみをボルト・ナットで建物の構造材に取り付ければよく施工し易い。
【００３１】
また、壁パネルの別の相対する枠材が建物に固定されてなく、壁パネルの相対する枠材または請求項２記載の壁パネルの固定金具が建物の構造材にボルト・ナットで固定されているだけであるので、上下および左右の枠材が強固に建物構造体に固定されているより、枠が平行四辺形になり易く、その結果、地震等に適応し易くなっているし、この壁パネルにかかる力がアンカーボルト等のその他の部材に及ぼす力が弱く、アンカーボルト等の部材が破損しない。
【００３２】
請求項５記載の発明では、請求項４記載の発明に係り、前記建物が鉄骨系ユニット建物であるので、請求項４記載の発明の作用に記載されているように、壁パネルの取付構造が極めて地震等に適応し易くなっていて、鉄骨系ユニット建物のように、地震によって大きく揺れる建物でも、壁パネルが破損しない。
【発明の効果】
【００３３】
以上説明したように、請求項１記載の発明は、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられているから、この壁パネルを大型にすることで施工し易くなるし、枠材と壁面材だけであって安価である。また、この壁パネルを建物構造体に取り付けて使用しているときに、地震等があっても、この構造体に取り付けられている壁パネルの木質の枠に打ち付けられている釘またはビスが斜めになったり、釘またはビスを中心にして壁面材が回動したり、隣接する２個の壁面材の間に存在する隙間が狭くなって、地震の揺れに適応する。その結果、壁面パネルが破損しない。このように、この請求項１記載の発明は耐震性のよい壁パネルである。
【００３４】
請求項２記載の発明は、木質の枠材が矩形状に組み立てられた枠と、この枠の一面に配置された複数の壁面材とからなり、この複数の壁面材は、隣接する２個の壁面材の間に若干の隙間が存在する状態に並べられて釘またはビスで枠に取り付けられ、相対する枠材には、固定金具が取り付けられているから、この壁パネルを建物の構造材に取り付ける際に、大型の壁パネルにしたり、この固定金具を取り付ければよく、施工し易いし、枠材と壁面材と固定金具だけであって安価である。また、地震等があっても、木質の枠に打ち付けられている釘またはビスが斜めになったり、釘またはビスを中心にして壁面材が回動したり、２個の壁面材の間に存在する隙間が狭くなって地震の揺れに適応する。その結果、壁面パネルが破損しない。このように、この請求項２記載の発明は耐震性のよい壁パネルである。
【００３５】
請求項３記載の発明は、請求項１または２記載の発明に係り、前記相対する枠材には、桟材が前記壁面材に対して略平行に差し渡されて取り付けられ、前記隣接する２個の壁面材の間に存在する隙間がこの桟材の前面に位置する状態になされているから、請求項１や請求項２に記載されている効果に加えて、隣接する２個の壁面材の隙間の背後には桟材があって、隙間から内部を見ることができず、好ましい壁パネルである。
【００３６】
請求項４記載の発明は、請求項１記載の壁パネルの相対する枠材または請求項２記載の壁パネルの固定金具が建物の構造材にボルト・ナットで固定され、別の相対する枠材が建物に固定されてないから、取り付ける際に相対する枠材または固定金具のみをボルト・ナットで建物構造体に取り付ければよく施工し易いし、上下および左右の枠材が強固に建物構造体に固定されているより、枠が平行四辺形になり易く、地震等に適応し易くなっているし、この壁パネルにかかる力がアンカーボルト等のその他の部分に及ぼす力が弱く、アンカーボルト等が破損しない。
【００３７】
請求項５記載の発明では、請求項４記載の発明に係り、前記建物が鉄骨系ユニット建物であるので、請求項４記載の発明の壁パネルの取付構造が極めて地震等に適応し易くなっていて、鉄骨系ユニット建物のように、地震によって大きく揺れ易い建物でも、壁パネルが破損しない。
【発明を実施するための最良の形態】
【００３８】
以下、本発明を実施するための最良の形態を実施例で説明する。
【実施例】
【００３９】
図１〜図８は本発明をユニット建物に適用した一実施例であって、図１は、ユニット建物を示す斜視図、図２は、建物ユニットを示す一部切欠斜視図、図３（ａ）は、屋内側面を上にした状態の内壁パネルの斜視図、（ｂ）は、（ａ）の平面図、（ｃ）は、（ａ）のＡ−Ａ線における断面図、図４（ａ）は、上側固定金具の斜視図、（ｂ）は、下側固定金具の斜視図、図５は、断熱材付き内壁パネルの取付状態を示す断面図、図６（ａ）は、屋内側から見た外壁パネルの斜視図、（ｂ）は、屋外側から見た外壁パネルの斜視図、図７は、取付金具を示す斜視図、図８は、外壁パネルの取付状態を示す断面図である。
【００４０】
図１〜図８において、鉄骨系ユニット建物Ｈは、図１に示すように、基礎９９の上に９個の鉄骨系の建物ユニット１が据え付けられて１階が形成され、この１階の建物ユニットの上に９個の鉄骨系の建物ユニット１が据え付けられて２階が形成され、この２階の建物ユニットの上に屋根パネル９が取り付けられたものである。
この鉄骨系の建物ユニット１は、図２に示すように、矩形状の四隅に立設された４本の鋼製の四角筒状の柱１１と、この４本の柱の下端部を矩形の辺に沿って連結された鋼製の断面コ字形長尺体の床梁１２と、この４本の柱の上端部を矩形の辺に沿って連結された鋼製の断面コ字形長尺体の天井梁１３とからなる骨格を有する。
【００４１】
そして、この鉄骨系の建物ユニット１は、相対する床梁１２に鋼製の四角筒状の床小梁１４が差し渡され、この床小梁１４の上に木製の床根太１５が取り付けられ、この床根太１５の上にパーチクルボードの床面材１６が取り付けられて床が形成され、相対する天井梁１３に木製の天井野縁１７が取り付けられ、この天井野縁１７の下面に石膏ボードの天井面材１８が取り付けられて天井が形成されたものである。
【００４２】
外壁を設ける場所には、図５に示すように、床梁１２と天井梁１３とに壁パネルの一種である内壁パネル２が差し渡されて取り付けられ、この内壁パネル２の屋外側に、図６に示す壁パネルの一種である外壁パネル３が取り付けられ、この内壁パネル２と外壁パネル３の間にガラスウールの断熱材２９が取り付けられている。
更に、必要な場所には間仕切り壁パネルが取り付けられて部屋に区切られている。
【００４３】
この内壁パネル２と外壁パネル３と断熱材２９とからなる外壁の構造について詳細に説明する。
まず、内壁パネル２と断熱材２９について説明する。
内壁パネル２は、図３に示すように、木材製の上枠４１と、下枠４２と、２本の側枠４３とが矩形状に組み立てられた枠４と、上下の枠材４１、４２に差し渡されて取り付けられた４本の木材製の桟材４５と、この枠４や桟材４５の一面に配置された３枚の石膏ボードの壁面材４７と、鋼製の固定金具６とからなる。
【００４４】
そして、この３枚の壁面材５は、隣接する２個の壁面材６の間に略２ｍｍの隙間Ｓが存在する状態に並べられ、釘４８で枠４に取り付けられているし、桟材４５は壁面材５に対して略平行になっていて、隣接する２個の壁面材４７の間に存在する隙間Ｓは桟材４５の前面に位置する状態になっている。また、壁面材４７には、後述の固定ボルト６８の邪魔にならないように通孔４７１が設けられている。
【００４５】
固定金具６は、上側の固定金具６１と下側の固定金具６２の２種類ある。
上側固定金具６１は、図４（ａ）に示すように、一方の片６１１と他方の片６１２とが略直角に連結された鋼製の断面Ｌ字形長尺体であり、一方の片６１１には、枠４を取り付けるための３個の通孔６１３が設けられ、他方の片６１２には、天井梁１３に取り付けるための３個の通孔６１４が設けられている。
なお、この通孔６１４には固定ボルト６８が内側から外側に挿入され、回転しないように固定されて使用される。
【００４６】
下側固定金具６２は、図４（ｂ）に示すように、一方の片６２１と他方の片６２２とが略直角に連結された鋼製の断面Ｌ字形長尺体であって、この他方の片６２２の先端から一端から外側に略直角に折曲された引っ掛け片６２５が設けられている。そして、一方の片６２１には、内壁パネル２の枠４に取り付けるための３個の通孔６２３が設けられ、他方の片６２２には、床梁１２に取り付けるための３個の通孔６２４が設けられている。
そして、この通孔６２４には固定ボルト６８が内側から外側に挿入され、回転しないように固定されて使用される。
【００４７】
そして、この上側固定金具６１は、上枠４１と壁面材４７とからなるコーナー部に当接され、通孔４７１から上枠４１に打ち込んだ釘４９で固定されている。この際、壁面材４７の通孔４７１の中にボルト６８の頭が入れられている。
また、下側固定金具６２は、下枠４２と壁面材４７とからなるコーナー部に当接され、通孔６２３から下枠４２に打ち込まれた釘４９で固定されている。この際、壁面材４７の通孔４７１の中にボルト６８の頭が入れられている。
【００４８】
この内壁パネル２の屋外側には、ガラスウールの断熱材２９が取り付けられている。
この断熱材２９付き内壁パネル２は、図５に示すように、床梁１２と天井梁１３の屋外面に、ボルト６８の軸を天井梁１３や床梁１２の設けられている通孔に入れられた状態に、当接され、この固定ボルト６８に螺入されたナット６９で取り付けられている。
【００４９】
次に、外壁パネル３について説明する。
外壁パネル３は、図６に示すように、枠３１と、表面材３２と、ネジ棒３３と、ナット３４と、ガイド片３５とからなる。
この枠３１は鋼製の四角筒体の枠材を略矩形状に組み立て、桟材を左右の枠材に差し渡して取り付けたものである。
また、表面材３２はセメント系のサイデイング板である。
ガイド片３５は、鋼製のＺ形の小片である。
【００５０】
そして、外壁パネル３は、枠３１の桟材にガイド片３５のＺ形の一方の片が取り付けられ、このガイド片３５の一方の片にネジ棒３３が立設され、この枠３１のガイド片３５と反対側面に、３枚の表面材３２を左右の枠材に差し渡した状態にして、表面材３２が枠３１に取り付けられている。
取付金具７は、図７に示すように、一方の片７１と他方の片７２とが略直角に連結されている断面Ｌ字形の長尺体であり、他方の片７２の側縁部には、外壁パネル３のネジ棒３３を挿入する凹部７５が設けられている。
【００５１】
そして、外壁パネル３の取付構造は、図８に示すように、取付金具７が床梁１２と天井梁１３に、取付金具７の他方の片７２を上側に向けた状態にして、取り付けられ、この取付金具７に外壁パネル３が押し付けられ、下方に移動されることによって、外壁パネル３のネジ棒３１が取付金具７の凹部７５の中に挿入されて、床梁１２と天井梁１３に取り付けられている。
従って、外壁パネル３は、ガイド片３３が取付金具７の一方の片７１を押圧した状態になって、床梁１２と天井梁１３に固定されている。
【００５２】
次に、このユニット建物Ｕの施工方法および内壁パネルの作用について説明する。
工場で、建物ユニット１、屋根パネル９等を製造する。
この際の内壁パネル２と外壁パネル３と断熱材２９とからなる外壁の施工方法と作用について説明する。
【００５３】
先ず、内壁パネル２の施工方法および作用について説明する。
上枠４１、下枠４２、２本の側枠４３を矩形状に組み立てて枠４を製造し、この枠４の上下の枠材４１、４２に４本の桟材４５を差し渡して取り付け、この枠４や桟材４５の一面に３枚の壁面材４７を配置し、壁面材４７の表面から枠４に釘４８を打ち込んで、壁面材４７を枠４に取り付ける。
【００５４】
一方、上側固定金具６１の通孔６１４に固定ボルト６８を、固定ボルト６８の軸が外側に突出するように挿入し、固定ボルト６８を回転しないように固定する。
また、下側固定金具６２の通孔６２４に固定ボルト６８を、固定ボルト６８の軸が外側に突出するように挿入し、固定ボルト６８が回転しないように固定する。
この固定ボルト６８の固定は適宜でよい。例えば、固定ボルト６８にナットを螺入して固定してもよいし、固定ボルト６８を固定金具６に溶接して固定してもよいし、固定ボルトボルト６８の山を潰して固定してもよい。
【００５５】
このようにして固定ボルト６８が取り付けられた上側固定金具６１を上枠４１と壁面材４７とからなるコーナー部に、壁面材４７の通孔４７１の中に固定ボルト６８の頭を入れながら、当接させ、通孔６１３から上枠４１に釘４９を打ち込んで、上側固定金具６１を枠４に取り付ける。
【００５６】
同様に、固定ボルト６８が取り付けられた下側固定金具６２を下枠４２と壁面材４７とからなるコーナー部に、壁面材４７の通孔４７１の中に固定ボルト６８の頭を入れながら、当接させ、通孔６２３から下枠４２に釘４９を打ち込んで、下側固定金具６２を枠４に取り付けると、内壁パネル２が完成する。
そして、この内壁パネル２の裏側（屋外側）に断熱材２９を取り付ける。
【００５７】
このようにして完成した断熱材２９付き内壁パネル２を、建物ユニット１の床梁１２と天井梁１３に、下側固定金具６２の引っ掛け片６２５が床梁１２の上に載るようにし、且つ、固定ボルト６８の軸を天井梁１３や床梁１２の設けられている通孔に入れながら、当接させ、この固定ボルト６８にナット６９を螺入し、巻き締めると、断熱材２９付き内壁パネル２が床梁１２と天井梁１３に取り付けられる。
このようにして取り付けられた内壁パネル２は、３枚の壁面材４７からなっていて大型の壁パネルである。従って、取り付ける際の内壁パネル３の数を減らすことができる。
【００５８】
また、上下の枠材４１、４２には、固定金具６が取り付けられているので、内壁パネル３を床梁１２と天井梁１３に取り付ける際に、この固定金具６をボルト・ナットで取り付ければよい。
このように内壁パネル２の数を減らすことができるし、固定金具６を取り付ければよく、施工し易い。
また、この内壁パネル２は枠４と壁面材４７と固定金具６とからなるだけであるので安価である。
【００５９】
また、上下の枠材４１、４２には、桟材４５が差し渡されて取り付けられ、前記隣接する２個の壁面材４７の間に存在する隙間Ｓがこの桟材の前面に位置する状態になされているので、隣接する２個の壁面材４７の隙間Ｓの背後には桟材４５があって、隙間Ｓから内部を見ることができず、好ましい壁パネルである。
【００６０】
次に、外壁パネル３の施工方法について説明する。
図８に示すように、取付金具７を床梁１２と天井梁１３に、取付金具７の他方の片７２を上側に向けた状態にして、取り付け、この取付金具７に外壁パネル３を押し付け、下方に移動させて、外壁パネル３のネジ棒３１を取付金具７の凹部７５の中に挿入する。
すると、ガイド片３３が取付金具７の一方の片７１を押圧した状態になって、外壁パネル３が床梁１２と天井梁１３に固定される。
隣接する外壁パネル３の間の隙間にガスケット等を挿入して、この部分を水密にすると外壁パネル３の施工が完了する。
【００６１】
このようにして製造した建物ユニット１や屋根パネル９等を施工現場に運搬し、施工現場では、基礎９９の上に９個の建物ユニット１を据え付けて１階を形成し、この１階の建物ユニットの上に９個の建物ユニット１を据え付けて２階を形成し、この２階の建物ユニットの上に屋根パネル９を取り付け、種々な仕上げを行うとユニット建物Ｕが完成する。
【００６２】
このようにして完成したユニット建物Ｕは、次に示すように、耐震性のよい外壁を備えている。
まず、外壁を構成する内壁パネル２の耐震性について説明する。
地震等で床梁１２と天井梁１３の相対的位置が変化したときには、内壁パネル２の左右の枠材４３が建物に固定されてないので、すべての枠材が固定されているより枠材４３が移動し易くなっている。また、木質の枠４に打ち付けられている釘４８が斜めになったり、釘４８を中心にして枠４が回動したり、隣接する２個の壁面材４７の間に存在する隙間Ｓが狭くなって壁面材４７が傾く。この両方の作用で、地震に適応する。従って、内壁パネル３が破損しないし、この内壁パネル３にかかる力がアンカーボルト等の建物のその他の部分に及び難く、アンカーボルト等が破損しない。
【００６３】
次に外壁を構成する外壁パネル３の耐震性について説明する。
地震の際には、外壁パネル３が取付金具７に釣り下げられているだけであるので、外壁パネル３が凹部７５の中を移動して適応し、外壁パネル３が破損することがない。
このように、外壁を構成する内壁パネル２と外壁パネル３が共に耐震性がよく、この外壁は極めて地震等に適応し易くなっているので、地震によって揺れ易い鉄骨系のユニット建物１でも、内壁パネル２と外壁パネル３は破損せず、耐震性がよい。
【産業上の利用可能性】
【００６４】
この実施例では、特許文献３に記載されている鉄骨系のユニット建物について説明したが、その他のユニット建物でもよいし、ユニット建物以外の建物であってもよい。
また、内壁パネルを本発明の取付構造にしたが、その他の壁パネル、例えば、外壁パネル、間仕切り壁パネル等を本発明の取付構造にしてもよい。
【００６５】
また、壁パネルを床梁と天井梁に取り付けるようにしたが、その他の建物の構造材、例えば、窓台、まぐさ等の横方向の構造材や柱や間柱等の縦方向の構造材であってもよい。また、壁パネルを上下の枠材を取り付けたが、左右の枠材を取り付けるようにしてもよいし、上下および左右の両方の枠材を取り付けるようにしてもよい。
【図面の簡単な説明】
【００６６】
【図１】本発明をユニット建物に適用した一実施例のユニット建物を示す斜視図である。
【図２】実施例の建物ユニットを示す一部切欠斜視図である。
【図３】（ａ）は実施例の内壁パネルの斜視図、（ｂ）は（ａ）の平面図、（ｃ）は（ａ）のＡ−Ａ線における断面図である。
【図４】（ａ）は実施例の上側固定金具の斜視図、（ｂ）は下側固定金具の斜視図である。
【図５】実施例の断熱材付き内壁パネルの取付状態を示す断面図である。
【図６】（ａ）は実施例の屋外側から見た外壁パネルの斜視図、（ｂ）は屋内側からみた外壁パネルの斜視図である。
【図７】実施例の取付金具を示す斜視図である。
【図８】実施例の外壁パネルの取付状態を示す断面図である。
【符号の説明】
【００６７】
Ｕ              ユニット建物
Ｓ              隣接する壁面材間の隙間
１              建物ユニット
２              内壁パネル
３              外壁パネル
４              内壁パネルの枠
４５            桟材
４７            壁面材
４８            釘
６              固定金具
【図１】
2005163491.tif 000003
【図２】
2005163491.tif 000004
【図３】
2005163491.tif 000005
【図４】
2005163491.tif 000006
【図５】
2005163491.tif 000007
【図６】
2005163491.tif 000008
【図７】
2005163491.tif 000009
【図８】
2005163491.tif 000010